(57)【要約】【課題】パントリーの有効利用を図ることができる建物を提供する。【解決手段】住宅１０には、食料品等を収納する食品庫であるパントリー２０がキッチン１４に隣接して設けられているとともに、洗面室１５にも隣接して配置されている。パントリー２０への出入口としては、キッチン１４からパントリー２０への出入りを可能とする出入口５５と、洗面室１５からパントリー２０への出入りを可能とする出入口５８とが設けられている。また、パントリー２０は外壁１１を隔ててテラス６１と隣接しており、パントリー２０からテラス６１への出入りを可能とする出入口６３が設けられている。【選択図】      図１
2014205979.tif 000002
【特許請求の範囲】
【請求項１】
建物内の部屋として、食料品等を収納する食品庫であるパントリーがキッチンに隣接して設けられた建物であって、
前記パントリーは、前記キッチンの他に洗面室にも隣接して配置されており、
前記パントリーへの出入口として、前記キッチンから前記パントリーへの出入りを可能とする第１出入口と、前記洗面室から前記パントリーへの出入りを可能とする第２出入口とが設けられていることを特徴とする建物。
【請求項２】
前記パントリーは、外壁を隔てて屋外に隣接しており、
前記外壁には、前記パントリーから屋外への出入りを可能とする第３出入口が設けられていることを特徴とする請求項１に記載の建物。
【請求項３】
前記パントリーには、食料品等を収納するための収納棚が設置されており、
前記パントリーの四方を囲む４つの壁部のうち、３つの壁部にそれぞれ前記第１出入口と前記第２出入口と前記第３出入口とが形成されており、それら出入口が形成されていない残りの壁部の壁面に沿って前記収納棚が設置されていることを特徴とする請求項２に記載の建物。
【請求項４】
前記キッチンに隣接してダイニングが設けられており、
前記キッチンと前記洗面室との間を前記ダイニングを経由して行き来する場合に、前記洗面室への出入りを行うための出入口として第４出入口が設けられていることを特徴とする請求項１乃至３のいずれか一項に記載の建物。
【請求項５】
前記キッチンと隣接しかつ囲み部によって囲まれた居室が設けられており、
前記囲み部には、前記キッチンと前記居室との間を出入りするための出入部が設けられており、
前記出入部には、前記囲み部の一部であってかつ当該出入部を開閉する開閉部材が設けられており、
前記開閉部材は、前記キッチンから前記居室を見通すための見通し部を有することを特徴とする請求項１乃至４のいずれか一項に記載の建物。
【請求項６】
前記キッチンを挟んで前記パントリーとは反対側に前記居室が配置されており、
前記第１出入口は、前記キッチンを挟んで前記出入部と対向して配置されていることを特徴とする請求項５に記載の建物。
【請求項７】
前記居室は、屋外に隣接して設けられ、前記囲み部の一部である外壁部分によって屋外と仕切られており、
前記外壁部分には、前記居室と屋外とを連通する開口部が形成されており、
前記開閉部材には、前記居室と前記キッチンとを通気可能に連通する通気部が設けられていることを特徴とする請求項５又は６に記載の建物。
【請求項８】
前記パントリーは、外壁を隔てて屋外に隣接しており、
前記外壁には、前記パントリーから屋外への出入りを可能とする第３出入口が設けられており、
前記第３出入口は、前記パントリーを挟んで前記第１出入口と対向して配置されており、
前記キッチンを挟んで前記パントリーとは反対側に前記居室が配置されており、
前記第１出入口は、前記キッチンを挟んで前記出入部と対向して配置されており、
前記開口部は、前記居室を挟んで前記出入部と対向して配置されていることを特徴とする請求項７に記載の建物。
【発明の詳細な説明】
【技術分野】
【０００１】
本発明は、建物に関する。
【背景技術】
【０００２】
近年、住宅等の建物においては、キッチン（台所）に隣接してパントリー（食品庫）が設けられている場合がある（例えば特許文献１参照）。パントリーとは、食料品や調理器具、食器類等を収納するための小部屋である。パントリーは、通常、キッチンの奥に設けられており、キッチンから出入口を通じて出入りができるようになっている。
【先行技術文献】
【特許文献】
【０００３】
【特許文献１】特開２０１０−２５５２９４号公報
【発明の概要】
【発明が解決しようとする課題】
【０００４】
ところで、屋内スペースの有効利用の観点からすると、パントリーが食料品等を収納するためだけに用いられるのは好ましくない。その一方で、パントリーはキッチンの奥に設けられているため、パントリーへはキッチンを通って出入りするしかなく、パントリーを他の用途で利用しようとしても使い勝手がよくないと考えられる。
【０００５】
本発明は、上記事情に鑑みてなされたものであり、パントリーの有効利用を図ることができる建物を提供することを主たる目的とするものである。
【課題を解決するための手段】
【０００６】
上記課題を解決すべく、第１の発明の建物は、建物内の部屋として、食料品等を収納する食品庫であるパントリーがキッチンに隣接して設けられた建物であって、前記パントリーは、前記キッチンの他に洗面室にも隣接して配置されており、前記パントリーへの出入口として、前記キッチンから前記パントリーへの出入りを可能とする第１出入口と、前記洗面室から前記パントリーへの出入りを可能とする第２出入口とが設けられていることを特徴とする。
【０００７】
本発明によれば、パントリー（食品庫）がキッチンに隣接して設けられているとともに、洗面室にも隣接して設けられており、キッチンからは第１出入口を通じてパントリーへの出入りが可能となっており、洗面室からは第２出入口を通じてパントリーへの出入りが可能となっている。これにより、キッチンと洗面室との間をパントリーを通じて行き来することができるため、キッチンで料理をしたり洗面室で洗濯をしたりする等家事を行う際の家事動線を短縮化させることができる。そのため、パントリーを利用して家事の効率化を図ることができ、パントリーの有効利用を図ることができる。
【０００８】
また、パントリーが洗面室に隣接して設けられているため、パントリーには食料品等だけでなく、洗面室で用いられる洗剤やせっけん等を収納することもできる。この場合、キッチン及び洗面室で家事を行う際に必要なものをそれら各部屋の近くに収納しておくことができるため、家事を行うにあたって好都合となる。
【０００９】
第２の発明の建物は、第１の発明において、前記パントリーは、外壁を隔てて屋外に隣接しており、前記外壁には、前記パントリーから屋外への出入りを可能とする第３出入口が設けられていることを特徴とする。
【００１０】
本発明によれば、さらに、パントリーから屋外へ第３出入口を通じて出入りが可能となっているため、例えばキッチンからパントリーを通じて屋外にごみ出しに出たり、洗面室からパントリーを通じて屋外に洗濯物を干しに出たりすることができる。この場合、ごみ出しや洗濯物干しを速やかに行うことができるため、パントリーを利用してさらなる家事の効率化を図ることができ、パントリーについてより一層の有効利用を図ることができる。
【００１１】
また、パントリーが屋外に隣接して設けられているため、パントリーには、屋外で洗濯物を干す際に用いられる洗濯ばさみやハンガー等を収納しておくこともできる。この場合、キッチン、洗面室及び屋外のそれぞれで家事を行う際に必要なものを近くに収納しておくことができるため、家事を行うにあたってより好都合となる。
【００１２】
第３の発明の建物は、第２の発明において、前記パントリーには、食料品等を収納するための収納棚が設置されており、前記パントリーの四方を囲む４つの壁部のうち、３つの壁部にそれぞれ前記第１出入口と前記第２出入口と前記第３出入口とが形成されており、それら出入口が形成されていない残りの壁部の壁面に沿って前記収納棚が設置されていることを特徴とする。
【００１３】
一般に、パントリーには、食料品等を収納する収納棚が設置されている。キッチン、洗面室及び屋外のそれぞれからパントリーへの出入りが可能とされている上記第２の発明の構成では、この収納棚にキッチン、洗面室及び屋外のそれぞれで家事に用いられるものが収納されることが想定される。そこで本発明では、この点に鑑みて、パントリーを囲む４つの壁部のうち、出入口が形成されていない壁部の壁面に沿って収納棚を設置している。この場合、いずれの出入口からパントリーに入ったとしても、すなわちキッチン、洗面室及び屋外のいずれからパントリーに入ったとしても、収納棚へのアクセスがし易い。このため、収納棚の使い勝手をよくすることができる。
【００１４】
第４の発明の建物は、第１乃至第３のいずれかの発明において、前記キッチンに隣接してダイニングが設けられており、前記キッチンと前記洗面室との間を前記ダイニングを経由して行き来する場合に、前記洗面室への出入りを行うための出入口として第４出入口が設けられていることを特徴とする。
【００１５】
キッチンに隣接してダイニングが設けられている建物では、通常、家事を行うにあたってキッチンと洗面室との間を行き来する際、ダイニングを経由して移動することになる。しかしながら、ダイニングに来客がいる場合等には、客の前を通って移動することになるため都合が悪い。その点、本発明によれば、パントリーを経由してキッチンと洗面室との間を行き来することができるため、ダイニングに来客がいる場合であっても客の前を通らずに家事を行うことができる。
【００１６】
第５の発明の建物は、第１乃至第４のいずれかの発明において、前記キッチンと隣接しかつ囲み部によって囲まれた居室が設けられており、前記囲み部には、前記キッチンと前記居室との間を出入りするための出入部が設けられており、前記出入部には、前記囲み部の一部であってかつ当該出入部を開閉する開閉部材が設けられており、前記開閉部材は、前記キッチンから前記居室を見通すための見通し部を有することを特徴とする。
【００１７】
本発明によれば、キッチンと隣接して居室が設けられているため、キッチンで家事をする際にその居室を子供やペット（以下、子供等という）の居場所として利用すれば、子供等がけがをする等の不都合が起こっても即座に対応することができる。また、居室が囲み部によって囲まれているため、子供等が勝手に居室から出て料理をしているキッチンの方へ来てしまうのを防止することができる。これにより、子供等の安全性を確保しながらキッチンで家事を行うことができる。
【００１８】
また、キッチンと居室との間を出入りするための出入部には開閉部材が設けられ、その開閉部材には見通し部が設けられているため、出入部を開閉部材により閉鎖した状態でもキッチンから見通し部を通じて子供等の様子を監視することができる。これにより、子供等の安全性を好適に確保しながらキッチンで家事をすることができる。
【００１９】
第６の発明の建物は、第５の発明において、前記キッチンを挟んで前記パントリーとは反対側に前記居室が配置されており、前記第１出入口は、前記キッチンを挟んで前記出入部と対向して配置されていることを特徴とする。
【００２０】
本発明によれば、第１出入口がキッチンを挟んで出入部と対向して配置されているため、家事を行うにあたってパントリーを通る際、パントリーから第１出入口と出入部（開閉部材の見通し部）とを通じて居室を見ることができる。これにより、パントリーを通る度に、居室にいる子供等の様子をキッチン越しに伺うことができるため、子供等の安全性をより確保し易くすることができる。
【００２１】
第７の発明の建物は、第５又は第６の発明において、前記居室は、屋外に隣接して設けられ、前記囲み部の一部である外壁部分によって屋外と仕切られており、前記外壁部分には、前記居室と屋外とを連通する開口部が形成されており、前記開閉部材には、前記居室と前記キッチンとを通気可能に連通する通気部が設けられていることを特徴とする。
【００２２】
本発明によれば、居室が屋外と外壁部分によって仕切られており、その外壁部分には居室と屋外とを連通する開口部が形成されているため、その開口部を通じて居室に風（外気）を取り込むことができる。これにより、居間において子供等が快適に過ごすことが可能となる。また、開閉部材には通気部が設けられているため、開閉部材を閉めたままでも居室に取り込まれた風を通気部を通じてキッチンへ送り込むことができる。これにより、居室における子供等の安全性を確保しながら、キッチンにおいて家事を快適に行うことが可能となる。
【００２３】
第８の発明の建物は、第７の発明において、前記パントリーは、外壁を隔てて屋外に隣接しており、前記外壁には、前記パントリーから屋外への出入りを可能とする第３出入口が設けられており、前記第３出入口は、前記パントリーを挟んで前記第１出入口と対向して配置されており、前記キッチンを挟んで前記パントリーとは反対側に前記居室が配置されており、前記第１出入口は、前記キッチンを挟んで前記出入部と対向して配置されており、前記開口部は、前記居室を挟んで前記出入部と対向して配置されていることを特徴とする。
【００２４】
本発明によれば、キッチンを挟んだ両側にパントリーと居室とがそれぞれ配置されており、パントリー、キッチン、居室がこの順に一列に並んで配置されている。そして、パントリーを屋外と隔てる外壁に設けられた第３出入口がパントリーを挟んで第１出入口と対向配置され、第１出入口がキッチンを挟んで出入部と対向配置され、出入部が居室を挟んで開口部と対向配置されている。この場合、第３出入口、第１出入口、出入部及び開口部が一列に並んで配置されているため、これら各開口を通じて居室、キッチン及びパントリーに好適に風を通すことができる。これにより、居室とキッチンとを共に快適な空間とすることができるとともに、パントリーに湿気がこもるのを抑制することができるため、居室にいる子供等にとっても、キッチンで家事をする者にとっても、パントリーに収納されている食材にとっても、良好な環境とすることができる。
【図面の簡単な説明】
【００２５】
【図１】住宅の一階部分の間取りを示す平面図。
【図２】一階部分の間取りの別例を示す図。
【発明を実施するための形態】
【００２６】
以下に、本発明を具体化した一実施の形態について図面を参照しつつ説明する。本実施形態における建物は二階建ての住宅となっており、この住宅に居住者として夫婦と子供とからなる４人家族が居住している場合を想定している。図１は、住宅の一階部分の間取りを示す平面図である。
【００２７】
図１に示すように、住宅１０は、平面視において略矩形状をなしており、その外周部には外壁１１が設けられている。住宅１０の一階部分には、その外壁１１により囲まれた内側に、屋内空間として、玄関１２と、ＬＤ（リビング・ダイニング）１３と、キッチン１４と、洗面室１５と、浴室１６と、トイレ１７とが設けられている。
【００２８】
玄関１２は、一階部分において南東の角部に設けられている。玄関１２は、南側の外壁１１ａによって玄関ポーチ２１と仕切られており、その外壁１１ａには、玄関１２と玄関ポーチ２１とを連通する玄関口２２が設けられている。この玄関口２２を通じて住宅１０への出入りが可能となっている。また、玄関口２２には、当該玄関口２２を開閉する玄関ドア２３が設けられている。
【００２９】
ＬＤ１３は、リビング空間（以下、単にリビング２５という）と、ダイニング空間（以下、単にダイニング２６という）とが連続して形成された一体空間となっている。リビング２５には、テーブル２８ａと椅子２８ｂとを有してなるソファセット２８が設けられている。リビング２５は、家族団らんの場、テレビ鑑賞の場として用いられる他、来客時における接客の場としても用いられる。ダイニング２６には、テーブル２９ａと椅子２９ｂとを有してなる食卓セット２９が設けられている。ダイニング２６は、食事の場として用いられる他、来客時における接客の場としても用いられる。
【００３０】
キッチン１４は、ダイニング２６の西側に隣接して設けられている。キッチン１４は、南北方向に長い長方形状の空間となっており、西側の外壁１１ｂに隣接している。キッチン１４とダイニング２６との間には仕切壁が設けられておらず、それによってキッチン１４はダイニング２６と連続した空間となっている。キッチン１４には、流し台３１ａやコンロ台３１ｂを有する作業台３１が設けられている。作業台３１は、キッチン１４とダイニング２６との境界に沿って設けられており、この作業台３１によってキッチン１４とダイニング２６とが区画されている。
【００３１】
キッチン１４には、西側の外壁１１ｂに沿って冷蔵庫３２や食器棚３３が設けられている。キッチン１４においてこれら冷蔵庫３２及び食器棚３３と作業台３１との間のスペースは通路スペース３４（作業スペース）となっている。この通路スペース３４は、作業台３１の南側に設けられた出入り部３５を介してダイニング２６と通じている。
【００３２】
洗面室１５は、ダイニング２６の北側に隣接して設けられている。洗面室１５には、洗面台４１や洗濯機４２、収納棚４３等が設けられている。洗面室１５は、ダイニング２６と仕切壁３７によって仕切られており、その仕切壁３７にはダイニング２６と洗面室１５との間を出入りするための出入口３８が設けられている。出入口３８には、当該出入口３８を開閉する折戸３９が設けられている。なお、この場合、出入口３８が第４出入口に相当し、折戸３９が第４開閉部に相当する。また、第４開閉部として、折戸３９に代えて、引き戸や回動式のドアを用いてもよい。
【００３３】
浴室１６は、洗面室１５の東側に隣接して設けられている。浴室１６は洗面室１５と仕切壁４５によって仕切られており、その仕切壁４５には洗面室１５と浴室１６との間を出入りするための出入口４６が設けられている。なお、洗面室１５と浴室１６とはいずれも北側の外壁１１ｃに隣接して設けられている。
【００３４】
ダイニング２６の東側には、二階部分へ通じる階段４８が設置された階段室４９が設けられている。階段室４９へは出入口５１を通じてダイニング２６から出入り可能となっている。また、階段室４９の北側にはトイレ１７が設けられており、階段室４９の南側には衣服を収納する収納室５２が設けられている。
【００３５】
ところで、住宅１０の一階部分には、上述の屋内空間１２〜１７の他に、食料品等を収納する食品庫であるパントリー２０が設けられている。本実施形態では、このパントリー２０周辺の間取りに関して特徴を有しており、以下この点について説明をする。
【００３６】
パントリー２０は、食料品や調理器具、食器等を収納するための小部屋であり、キッチン１４の北側に隣接して設けられている。パントリー２０は、一階部分において北西の隅部に配置されている。パントリー２０は、その平面視形状がパントリー２０とキッチン１４とが並ぶ並び方向と直交する方向（東西方向）に長い長方形状となっている。パントリー２０は、その長手方向の長さがキッチン１４における同方向の長さと略同じとなっており、その短手方向の長さが後述する洗面室１５への出入口５８の開口幅と略同じとなっている。
【００３７】
パントリー２０は、仕切壁５４によってキッチン１４と仕切られており、その仕切壁５４にはキッチン１４とパントリー２０との間を出入りするための出入口５５が設けられている。この出入口５５には、当該出入口５５を開閉する引き戸５６が設けられている。なお、この場合、出入口５５が第１出入口に相当し、引き戸５６が第１開閉部に相当する。但し、第１開閉部として、引き戸５６に代えて回動式のドア等を用いてもよい。また、第１開閉部を設けないようしてもよい。
【００３８】
パントリー２０は、洗面室１５の西側に隣接して設けられている。パントリー２０は、仕切壁５７によって洗面室１５と仕切られており、その仕切壁５７には洗面室１５とパントリー２０との間を出入りするための出入口５８が設けられている。この出入口５８には、当該出入口５８を開閉する折戸５９が設けられている。なお、この場合、出入口５８が第２出入口に相当し、折戸５９が第２開閉部に相当する。但し、第２開閉部として、折戸５９に代えて、回動式のドアや引き戸等を用いてもよい。
【００３９】
パントリー２０の北側には、外壁１１ｃを隔ててテラス６１が隣接して設けられている。外壁１１ｃには、パントリー２０とテラス６１との間を出入りするための出入口６３が設けられている。この出入口６３は、パントリー２０を挟んで出入口５５と対向して配置されている。また、出入口６３には、当該出入口６３を開閉する回動式のドア６４が設けられている。このドア６４は、屋外への回動により開状態となる外開き式のドアとなっている。なお、この場合、出入口６３が第３出入口に相当し、ドア６４が第３開閉部に相当する。但し、第３開閉部として、回動式のドア６４に代えて、引き戸等を用いてもよい。
【００４０】
テラス６１（テラス空間）は、屋外にウッドデッキが敷設されることにより形成された床上空間となっている。テラス６１には、その隅部にごみ収集箱６５が設置されている。これにより、キッチン１４で料理の際に発生した生ゴミ等をこのごみ収集箱６５に捨てることが可能となっている。また、テラス６１は、洗濯物を干すための物干しスペースとしての利用も可能となっている。したがって、テラス６１は、ごみ捨てスペース及び物干しスペースに相当する。
【００４１】
パントリー２０には、西側の外壁１１ｂに沿って収納棚６０が設置されている。収納棚６０は、キッチン１４で用いられる食料品や調理器具、食器等を収納するための棚である。本実施形態では、この収納棚６０に、食料品等の他に、洗面室１５で用いられる洗剤や石けん等が収納されているとともに、テラス６１で用いられる洗濯ばさみやハンガー等が収納されている。収納棚６０は、その幅がパントリー２０の短手方向（南北方向）の長さと同じとなっており、パントリー２０を挟んで（南北方向に）対向する外壁１１ｃと仕切壁５４とに跨がって配設されている。この場合、収納棚６０は、（東西方向に）出入口５８と対向して配置されており、各出入口５５，６３に対して西側に配置されている。
【００４２】
住宅１０の一階部分には、さらに屋内空間として居間１９が設けられている。居間１９は、キッチン１４の南側に隣接して設けられており、キッチン１４を挟んでパントリー２０とは反対側に配置されている。居間１９は、一階部分において南西の角部に配置されている。本実施形態では、この居間１９が子供の居場所として利用されるものとなっている。居間１９は、その床材６７が柔軟性の高い素材（例えばクッション材）により形成されている。そのため、居間１９で子供が転んだりしてもけがすることがないようになっている。また、居間１９には、子供用の学習机６６が設けられている。なお、居間１９が「居室」に相当する。
【００４３】
居間１９とキッチン１４との間には仕切壁が設けられておらず、それ故居間１９とキッチン１４との間の境界部には同境界部全域に亘って開口部７２が形成されている。この開口部７２を通じてキッチン１４と居間１９との間の出入りが可能となっている。また、開口部７２は、キッチン１４（詳しくは通路スペース３４）を挟んで出入口５５と対向して配置されている。なお、この開口部７２が出入部に相当する。
【００４４】
開口部７２には、当該開口部７２を開閉する格子戸７３が設けられている。格子戸７３は、複数の長尺材を格子状に並べて形成された引き戸からなる。格子戸７３は、開口部７２において複数（具体的には３つ）設けられており、これら各格子戸７３が開口部７２の幅方向に並べて配置されることにより開口部７２が閉鎖されるようになっている。なお、この格子戸７３が開閉部材に相当する。但し、格子戸７３は必ずしも引き戸とする必要はなく、折戸や回動式のドアとしてもよい。また、格子戸７３を閉めた状態で当該格子戸７３を施錠する施錠部（ロック部）を設けてもよい。
【００４５】
格子戸７３において、長尺材同士の間の隙間はキッチン１４と居間１９とを連通する通気部７４となっている。この通気部７４を通じてキッチン１４と居間１９との間で通気が可能となっている。また、通気部７４は、キッチン１４から居間１９を見通すための見通し部としての役割も有している。これにより、キッチン１４で家事をしながら居間１９で遊ぶ子供を監視することが可能となっている。さらに、この通気部７４を通じて居間１９からキッチン１４へ光を採り入れることも可能である。また、通気部７４によって居間１９の音がキッチン１４へ伝わり易くなるため、子供の様子が把握し易くなる効果もある。
【００４６】
居間１９は、その東側においてリビング２５と隣接している。居間１９とリビング２５との間には仕切壁が設けられておらず、居間１９とリビング２５との境界に沿って複数（図１では４つ）の収納棚６８が並べて設けられている。これらの収納棚６８は、居間１９とリビング２５との間の境界部全域に亘って配置されており、その高さ寸法が居間１９の床面から天井面付近までの上下寸法と略同じとなっている。これにより、これら収納棚６８によって居間１９とリビング２５とが出入り不能に仕切られている。なお、収納棚６８は、その高さ寸法が腰高程度（例えば１ｍ程度）のものであってもよい。また、収納棚６８に代えて、居間１９とリビング２５とを仕切る仕切壁を設けてもよい。
【００４７】
居間１９は、西側の外壁１１ｂによって屋外と仕切られており、南側の外壁１１ａによって屋外（詳細には後述するテラス７６）と仕切られている。つまり、居間１９は、格子戸７３が閉められた状態では、格子戸７３と各収納棚６８と各外壁１１ａ，１１ｂとによって囲まれた空間となる。なお、この場合、格子戸７３と各収納棚６８と各外壁１１ａ，１１ｂとにより囲み部が構成されている。
【００４８】
居間１９の南側には、外壁１１ａを隔ててテラス７６が隣接して設けられている。テラス７６（テラス空間）は、屋外にウッドデッキが敷設されることにより形成された床上空間となっている。テラス７６は、洗濯物を干すための物干しスペースとして利用することができる他、子供の遊び場として利用することも可能である。
【００４９】
テラス７６を居間１９と仕切る外壁１１ａ（外壁部分）には、居間１９とテラス７６との間を出入りするための出入口７７が設けられている。出入口７７は、いわゆる掃き出し窓となっており、居間１９を挟んで開口部７２と（南北方向に）対向して配置されている。この場合、出入口７７と開口部７２と出入口５５と出入口６３とは南北方向に一列に並んで配置されている。出入口７７には、当該出入口７７を開閉するサッシ戸７８が設けられている。なお、この場合、出入口７７が開口部及び第５出入口に相当し、サッシ戸７８が第５開閉部に相当する。
【００５０】
以上、詳述した本実施形態の構成によれば、以下の優れた効果が得られる。
【００５１】
パントリー２０をキッチン１４に隣接させて配置するとともに洗面室１５にも隣接させて配置し、そしてパントリー２０への出入口として、キッチン１４からの出入口５５と、洗面室１５からの出入口５８とを設けた。この場合、キッチン１４と洗面室１５との間をパントリー２０を経由して行き来することができるため、キッチン１４で料理したり洗面室１５で洗濯したりする等家事を行う際の家事動線を短縮させることができる。これにより、パントリー２０を利用して家事の効率化を図ることができ、パントリー２０の有効利用を図ることができる。
【００５２】
さらに、パントリー２０から屋外のテラス６１へ出入りするための出入口６３を設けたため、キッチン１４からパントリー２０を通じてテラス６１のごみ収集箱６５へごみ出しに出たり、洗面室１５からパントリー２０を通じてテラス６１へ洗濯物を干しに出たりすることができる。この場合、ごみ出しや洗濯物干しを速やかに行うことができるため、パントリー２０を利用してさらなる家事の効率化を図ることができる。よって、パントリー２０のより一層の有効利用を図ることができる。
【００５３】
また、パントリー２０をキッチン１４だけでなく洗面室１５及びテラス６１にも隣接させたことで、パントリー２０（収納棚６０）にはキッチン１４で用いられる食料品等だけでなく、洗面室１５で用いられる洗剤やせっけん等、さらにはテラス６１にて洗濯物を干す際に用いられる洗濯ばさみやハンガー等を収納することができる。これにより、キッチン１４及び洗面室１５、テラス６１のそれぞれで家事を行うのに必要なものを近くに収納しておくことができるため、家事を行うにあたって好都合となる。
【００５４】
パントリー２０の四方を囲む４つの壁部５４，５７，１１ｃ，１１ｂのうち、３つの壁部５４，５７，１１ｃにそれぞれ各出入口５５，５８，６３を形成し、残りの壁部１１ｂの壁面に沿って収納棚６０を設置した。これにより、いずれの出入口５５，５８，６３からパントリー２０に入ったとしても、つまりキッチン１４、洗面室１５及びテラス６１のうちいずれからパントリー２０に入ったとしても収納棚６０へのアクセスがし易くなり、収納棚６０の使い勝手をよくすることができる。
【００５５】
キッチン１４に隣接してダイニング２６が設けられている本実施形態のような住宅１０では、通常、家事を行うにあたってキッチン１４と洗面室１５との間を行き来する際、ダイニング２６を経由して移動することになる。しかしながら、ダイニング２６に来客がいる場合等には、客の前を通って移動することになるため都合が悪い。その点、パントリー２０を経由して（換言するとダイニング２６を経由せずに）キッチン１４と洗面室１５との間の行き来を可能としたことで、ダイニング２６に来客がいる場合であっても客の前を通らずに家事を行うことができる。
【００５６】
キッチン１４と隣接して設けた居間１９を子供の居場所としたため、子供がけがする等の不都合が起こっても即座に対応することができる。また、居間１９を囲み部（格子戸７３、各収納棚６８、外壁１１ａ，１１ｂ）によって囲んだため、子供が勝手に居間１９の外へ出て料理をしているキッチン１４の方へ来てしまうのを防止することができる。これにより、子供の安全性を確保しながらキッチン１４で家事を行うことができる。
【００５７】
また、キッチン１４と居間１９との間を出入りするための開口部７２に格子戸７３を設け、その格子戸７３の通気部７４をキッチン１４から居間１９を見通すための見通し部としたため、開口部７２を格子戸７３により閉鎖した状態でもキッチン１４から見通し部を通じて居間１９の子供の様子を監視することができる。これにより、子供の安全性を好適に確保しながらキッチン１４で家事をすることができる。
【００５８】
なお、来客時には格子戸７３を閉めておくことで、居間１９で子供がおもちゃ等を散らかしてもそのままにしておくことができるため、家事の負担を減らせる。
【００５９】
キッチン１４を挟んでパントリー２０とは反対側に居間１９を配置するとともに、キッチン１４を挟んで開口部７２と対向する位置に出入口５５を配置した。この場合、家事を行うにあたりパントリー２０を通る際、パントリー２０から出入口５５と開口部７２（詳しくは格子戸７３の見通し部）とを通じて居間１９を見ることができるため、パントリー２０を通る度に、居間１９にいる子供の様子をキッチン１４越しに伺うことができる。そのため、子供の安全性をより確保し易くすることができる。
【００６０】
居間１９を屋外と仕切る外壁１１ａ（外壁部分）に居間１９と屋外とを連通する出入口７７を設けたため、サッシ戸７８を開けておけば出入口７７を通じて居間１９に風（外気）を取り込むことができる。これにより、居間１９において子供が快適に過ごすことが可能となる。また、格子戸７３には通気部７４を設けたため、格子戸７３を閉めたままでも居間１９に取り込まれた風をキッチン１４へ送り込むことができる。これにより、子供の安全性を確保しながら、キッチン１４において家事を快適に行うことが可能となる。
【００６１】
出入口６３をパントリー２０を挟んで出入口５５と対向させて配置し、出入口５５をキッチン１４を挟んで開口部７２と対向させて配置し、開口部７２を居間１９を挟んで出入口７７と対向させて配置した。この場合、出入口６３、出入口５５、開口部７２及び出入口７７が（南北方向に）一列に並んで配置されているため、ドア６４、引き戸５６及びサッシ戸７８を開けておけば、これら各開口５５，６３，７２，７７を通じて居間１９、キッチン１４及びパントリー２０に好適に風を通すことができる。これにより、居間１９とキッチン１４とを共に快適な空間とすることができるとともに、パントリー２０に湿気がこもるのを抑制することができるため、居間１９にいる子供等にとっても、キッチン１４で家事をする者にとっても、パントリー２０に収納されている食材にとっても、良好な環境とすることができる。
【００６２】
本発明は上記実施形態に限らず、例えば次のように実施されてもよい。
【００６３】
（１）パントリー２０周辺の間取りは必ずしも上記実施形態のものに限定されることはなく、その他の間取りとしてもよい。例えば、図２（ａ）に示すように、パントリー２０を挟んだ両側にそれぞれキッチン１４及び洗面室１５を隣接させて設けてもよい。この場合にも、パントリー２０へキッチン１４から出入口５５を通じて出入り可能とし、洗面室１５から出入口５８を通じて出入り可能とすることで、キッチン１４と洗面室１５との間をパントリー２０を通じて行き来することが可能となる。そのため、家事動線の短縮化を図ることができ、パントリー２０を利用して家事の効率化を図ることができる。
【００６４】
また、図２（ａ）においても、パントリー２０から屋外への出入りを可能とする出入口６３がさらに設けられているため、キッチン１４からパントリー２０を通じて屋外にごみ出しに出たり洗面室１５からパントリー２０を通じて屋外に洗濯物を干しに出たりすることができる。そのため、パントリー２０を利用したさらなる家事の効率化を図ることができる。
【００６５】
なお、図２（ｂ）に示すように、パントリー２０から屋外への出入口６３を設けないようにしてもよい。この場合であっても、キッチン１４と洗面室１５との間をパントリー２０を通じて行き来することが可能であるため、パントリー２０を利用した家事の効率化を図ることができる。
【００６６】
また、図２（ｃ）に示すように、パントリー２０をキッチン１４、洗面室１５、屋外にそれぞれ隣接させるとともに、さらにダイニング２６に隣接させ、パントリー２０への出入口として、各出入口５５，５８，６３に加え、ダイニング２６からパントリー２０への出入口８１を設けるようにしてもよい。この場合、４つの出入口５５，５８，６３，８１から、つまりキッチン１４、洗面室１５、屋外及びダイニング２６からそれぞれパントリー２０への出入りが可能となり、パントリー２０を利用して一階部分におけるさらなる動線の短縮化を図ることができる。
【００６７】
（２）上記実施形態では、外壁１１ａに開口部としてテラス７６への出入口７７を設けたが、これに代えて、窓部（開口部に相当）を設けてもよい。この場合でも、窓部を通じて屋外の風を居間１９に採り入れることができるとともに、その採り入れた風を通気部７４を通じてキッチン１４へと送り込むことができる。これにより、居間１９における子供の安全性を確保しながらキッチン１４において家事を快適に行うことが可能となる。
【００６８】
（３）上記実施形態では、居間１９を子供の居場所として利用したが、居間１９をペットの居場所として利用してもよい。この場合にも、格子戸７３を閉めておけばペットが居間１９から料理をしているキッチン１４の方へ飛び出すのを防止することができ、格子戸７３を閉めた状態でも通気部７４を通じてキッチン１４から居間１９にいるペットの様子を確認することができる。そのため、ペットの安全性を好適に確保しながらキッチン１４で家事を行うことができる。
【００６９】
（４）上記実施形態では、開閉部材としての格子戸７３にキッチン１４と居間１９とを連通する通気部７４（連通部）を設け、その通気部７４を見通し部としたが、見通し部は必ずしもかかる連通部によって構成する必要はない。例えば、開閉部材をかかる連通部を有しない引き戸により構成し、その引き戸の少なくとも一部をガラス等の透明板により構成してもよい。その場合、透明板が見通し部となり、その透明板を通じてキッチン１４から居間１９を見通すことが可能となる。
【符号の説明】
【００７０】
１０…建物としての住宅、１１…外壁、１４…キッチン、１５…洗面室、１９…居室としての居間、２０…パントリー、２６…ダイニング、３８…第４出入口としての出入口、５５…第１出入口としての出入口、５８…第２出入口としての出入口、６０…収納棚、６３…第３出入口としての出入口、７２…出入部としての開口部、７３…開閉部材としての格子戸、７４…見通し部としての通気部、７７…開口部としての出入口。
【図１】
2014205979.tif 000003
【図２】
2014205979.tif 000004